(57)【要約】【課題】基本形態が同じであって表面模様の異なる複数種類の天板ブロックを用意し、この天板ブロックの配置パターンを変えることによって、天板の模様等を随時変化させることができるようにする。【解決手段】複数の天板ブロック１、１’の集合体にて形成される天板アセンブリ１１と、当該天板アセンブリ１１を形成する各天板ブロック１、１’の載置されるものであって、これら各天板ブロック１、１’を保持する天板用フレーム２と、当該天板用フレーム２を支持するものであって当該天板用フレーム２に垂直状に設けられる複数本の脚３と、からなる。天板用フレーム２は、上記各天板ブロック１、１’の裏面側に設けられた凹溝１２内に嵌り込むように形成されるものであって平行に複数本設けられるレール状のクロスメンバ２１と、クロスメンバ２１の両端部２１１を保持するサイドメンバ２２と、からなる。【選択図】図１
2006141603.tif 000002
【特許請求の範囲】
【請求項１】
天板ブロックの搭載される天板プレートを保持する枠部及び当該枠部から直立状に設けられる複数本の脚部を有するフレームと、当該フレームを形成する枠部のところに設置されるものであって、その表面側に天板ブロック保持用の受部を有する天板プレートと、平面形態が四辺形状の形態からなるものであって、その裏面側に上記天板プレートに設けられた受部と係合するように形成された係合凸部を有する天板ブロックと、からなることを特徴とするテーブル。
【請求項２】
平行に設けられた複数本のクロスメンバ及び当該クロスメンバの両端部を保持するサイドメンバからなる天板用フレームと、当該天板用フレームに対して直立状に設けられる複数本の脚と、上記天板用フレーム上に載置されるものであって当該天板用フレームを形成するクロスメンバのところに着脱可能なように取付けられる複数個の天板ブロックと、からなることを特徴とするテーブル。
【請求項３】
請求項２記載のテーブルにおいて、上記天板ブロックを、平面形態が四辺形状の形態からなるようにするとともに、その裏面側には、上記クロスメンバのうちの少なくとも２本が嵌り込むように形成された凹溝を設けるようにしたことを特徴とするテーブル。
【請求項４】
請求項２記載のテーブルにおいて、上記天板ブロックの裏面側に、上記クロスメンバの嵌り込むように形成された凹溝を２本平行なように設けるようにしたことを特徴とするテーブル。
【発明の詳細な説明】
【技術分野】
【０００１】
本発明は、テーブルに関するもであり、特に、天板アセンブリを、同じ平面形態からなる複数の天板ブロックを適宜組み合わせることによって形成させるようにし、これによって所定の平面模様等を形成させることのできるようにした、組合せ式の天板アセンブリを有するテーブルに関するものである。
【背景技術】
【０００２】
一般に、家具としてのテーブルは、一枚の平板状天板と、当該天板を支持する複数本の脚と、からなるものである。ところで、このようなテーブルにおいて、上記天板の模様等を変えてみたいと言うような場合がある。このような状況に応えるものとして、例えば、天板を複数の正方形ブロック状パネルの組合せ体として形成させるようにしたものが、例えば特開平１１−４７１９号公報等により公知となっている。
【特許文献１】特開平１１−４７１９号公報
【発明の開示】
【発明が解決しようとする課題】
【０００３】
ところで、上記公知のものは、天板アセンブリを形成するブロック状パネルが代理石等の高価なものからなるものであり、しかも、質量も重いものである。従って、このような天板アセンブリを形成するブロック状パネルを収容する収容部材であるピース収納部は、ステンレススチール等の比較的高価な素材にて形成されるとともに、その構造も頑丈なように形成されているものである。従って、このような高価な天板用ブロック状パネルあるいはその収容部等を有するテーブルは、全体的に高価なものとならざるを得ないと言う問題点を有する。このような問題点を解決するために、天板用ブロックを、その取付部の構造も含めて出きる限り同じ構造を有するようにするとともに、その表面模様等は異なったものを複数種類用意するようにし、これによって、模様パターン等の異なった天板アセンブリを自由に形成させることのできるようにした、ブロック組合せ方式の天板アセンブリを有するテーブルを提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、天板と、当該天板から垂直状に設けられるものであって上記天板を支持する役目を果たす複数本の脚と、からなるテーブルに関して、天板ブロックの搭載される天板プレートを保持する枠部及び当該枠部から直立状に設けられる複数本の脚部を有するフレームと、当該フレームを形成する枠部のところに設置されるものであって、その表面側に天板ブロック保持用の受部を有する天板プレートと、平面形態が四辺形状の形態からなるものであって、その裏面側に上記天板プレートに設けられた受部と係合するように形成された係合凸部を有する天板ブロックと、からなるようにした構成を採ることとした。
【０００５】
また、請求項２記載の発明である第二の発明においては、天板と、当該天板から垂直状に設けられるものであって上記天板を支持する役目を果たす複数本の脚と、からなるテーブルに関して、平行に設けられた複数本のクロスメンバ及び当該クロスメンバの両端部を保持するサイドメンバからなる天板用フレームと、当該天板用フレームに対して直立状に設けられる複数本の脚と、上記天板用フレーム上に載置されるものであって当該天板用フレームを形成するクロスメンバのところに着脱可能なように取付けられる複数個の天板ブロックと、からなるようにした構成を採ることとした。
【０００６】
また、請求項３記載の発明である第三の発明においては、請求項２記載のテーブルに関して、上記天板ブロックを、平面形態が四辺形状の形態からなるようにするとともに、その裏面側には、上記クロスメンバのうちの少なくとも２本が嵌り込むように形成された凹溝を設けるようにした構成を採ることとした。
【０００７】
また、請求項４記載の発明である第四の発明においては、請求項２記載のテーブルに関して、上記天板ブロックの裏面側に、上記クロスメンバの嵌り込むように形成された凹溝を２本平行なように設けるようにした構成を採ることとした。
【発明の効果】
【０００８】
第一の発明によれば、表面模様等の異なった天板ブロックを複数種類用意するとともに、これらを適宜組合わせることによって、異なった模様あるいは異なったふん囲気の天板アセンブリを簡単に得ることができるようになる。また、天板ブロックのうちの一つについては、絵画等を嵌め込むようにしたもの、あるいは灰皿等の特殊な機能を持たせるようにしたものを用意することによって、特殊なふん囲気あるいは機能等を発揮させるようにしたテーブルを形成させることができるようになる。そして、このような異なったふん囲気等をかもし出す天板アセンブリを形成する天板ブロックは、その天板プレートへの固定方法が、天板プレート側に形成された凹陥状の受部と、天板ブロック裏面側に形成された係合凸部との係合作用によって行われるようになっているので、天板プレートへの装着（固定）が円滑に行われることとなる。また、一旦装着された状態においては、簡単には外れたりしないようになり、天板プレートへの固定（保持）が確実に行われるようになる。
【０００９】
また、第二の発明によれば、上記第一の発明と同じ様に、表面模様等の異なった天板ブロックを複数種類用意しておくとともに、これらを適宜組合わせることによって、異なった模様の天板アセンブリを得ることができるようになる。また、上記第一の発明のものと同様、天板ブロックのうちの一つについては、絵画等を嵌め込むようにしたもの、あるいは灰皿等の特殊な機能を持たせるようにしたものを用意することによって、特殊なふん囲気あるいは機能等を発揮させるようにしたテーブルを形成することができるようになる。
【００１０】
また、第三の発明によれば、各天板ブロックの裏面側には、二本以上のクロスメンバが嵌り込むように形成された凹溝が設けられるようになっているので、各天板ブロックの着脱が円滑に行われるようになる。そして、このような天板ブロックの裏面側に形成される凹溝内にはクロスメンバが少なくとも二本以上嵌り込むようになっているので、一旦装着された天板ブロックは、天板用フレーム上において安定した状態を保持することができるようになる。
【００１１】
また、第四の発明のものにおいても、上記第三の発明のものと同様、各天板ブロックの着脱が円滑に行われるとともに、一旦装着された各天板ブロックは、その裏面側に設けられた二本の凹溝内にクロスメンバがそれぞれ嵌り込むようになっているので、各天板ブロックは、バランス良く支持されるようになり、装着後の安定性が確保されるようになる。
【発明を実施するための最良の形態】
【００１２】
本発明を実施するための最良の形態について、図１ないし図５を基に説明する。そのうちの第一の実施形態について、図１ないし図３を基に説明する。このものの構成は、図１に示す如く、複数の天板ブロック１、１’の集合体にて形成される天板アセンブリ１１と、当該天板アセンブリ１１を形成する各天板ブロック１、１’の載置されるものであって、これら各天板ブロック１、１’を保持する天板用フレーム２と、当該天板用フレーム２を支持するものであって当該天板用フレーム２に垂直状に設けられる複数本の脚３と、からなることを基本とするものである。
【００１３】
このような構成からなるものにおいて、上記天板ブロック１、１’は、図１に示す如く、その平面形態が正方形を含む四辺形からなるものであって、基本的には同じ平面形態を有するものにて形成されるようになっているものである。このように同じ平面形態を有するものを用意することによって、部品の共用化あるいは共通化を図ることができるようになる。本実施の形態においては、平面形態が正方形を有するものを基本に形成させるようにし、四隅のコーナ部に設けられるもの（１’）のみ、そのコーナ部に丸味を持たせるようにしているものである。
【００１４】
そして、このような構成からなる天板ブロック１、１’の裏面側には、図２または図３に示す如く、天板用フレーム２を形成するクロスメンバ２１の嵌り込む凹溝１２、１２’が設けられるようになっているものである。なお、この凹溝１２、１２’は、図２に示す如く、基本的には２本のクロスメンバ２１がそれぞれ嵌り込むように形成された凹溝１２、１２が２本平行なように設けられるようになっているものである。但し、天板ブロックのうちの両端部に載置されるもの、すなわち、天板用フレーム２を形成するサイドメンバ２２上に載置されるものにおいては、天板用フレーム２からの脱落を防止するために、２本の凹溝１２、１２が平面形態において連結された状態のＵ字状を形成するようになっているものである（図３参照）。すなわち、このような両端部に載置される天板ブロック１、１’の裏面側に設けられる凹溝１２’は、図３に示す如く、全体的に連結されたＵ字状の形態を有するようになっているものである。
【００１５】
このような基本構成からなるものにおいて、上記各天板ブロック１、１’は、所定のプラスチック材による成形品、あるいは木屑または紙等を圧縮成形することによって形成される成形品からなるものである。また、このような構成からなる本天板ブロック１、１’において、その一部のものに、例えば図１に示す如く、絵画１６等を嵌め込ませるようにしたもの、またはブロックパズル１５等を装着するようにしたもの、更には中央部にくぼみをもたせて灰皿機能を発揮させるようにしたもの等、特殊な機能等を発揮させるようにしたものをオプション部品として設定しておくことも可能である。このようなオプション機能を有する天板ブロック１を各種用意しておくことによって、用途に合せて天板アセンブリ１１を変化させ、延いては本テーブルの機能を広く展開させることができるようになる。
【００１６】
次に、このような構成からなる天板ブロック１、１’の載置される天板用フレーム２について、図１を基に説明する。このものは、図１に示す如く、平行に複数本並べられたレール状のクロスメンバ２１と、当該複数本のクロスメンバ２１の両端部２１１を保持するサイドメンバ２２と、からなるものである。そして、上記クロスメンバ２１は、パイプ材等を基礎に形成されるものであって、その両端部２１１のところが、例えば板状の部材等からなるサイドメンバ２２のところに溶接手段またはネジ止め手段等の所定の締結手段を介して取付けられるようになっているものである。なお、このような天板用フレーム２を形成するクロスメンバ２１は、図１に示す如く、その両端部２１１のところがＵ字状に折り曲げられた形態となっているものである。このような屈曲部のところに、天板ブロック１、１’の裏面側に設けられたＵ字状凹溝１２’の一部が係合するストッパ部２１２が形成されるようになっているものである。このストッパ部２１２が上記天板ブロック１、１’の裏面側に設けられたＵ字状の凹溝１２’のところに嵌り込むことによって、本天板ブロック１、１’のずれ（移動）、あるいは脱落等が抑止されるようになる。
【００１７】
次に、このような構成からなる天板用フレーム２のところに、当該天板用フレーム２から垂直状に設けられる脚３は、図１に示す如く、支柱状の形態からなるものであり、本実施の形態においてはパイプ状部材が用いられるようになっている。そして、その上端部３１のところが上記天板用フレーム２を形成するサイドメンバ２２のところにボルト・ナット等からなる締結手段４を介して取付けられる（固定される）ようになっているものである。また、このような脚３の下端部３２のところには、滑り止め部材５１あるいはキャスタ５５等からなるフット部５が適宜取付けられるようになっているものである。なお、このような脚としては、その長さを変えたもの３’等を予め用意しておくことによって、高さの高いテーブルあるいは低いテーブル等を適宜設定することができるようになる。
【００１８】
このような構成を採ることにより、本実施の形態のものにおいては、同じ平面形態を有するものであって表面模様等の異なった天板ブロック１、１’を複数種類用意しておくとともに、これらを適宜組合わせることによって、異なった模様の天板アセンブリ１１を随時形成させることができるようになる。また、天板ブロック１のうちの一つについては、絵画等を嵌め込むようにしたもの、あるいは灰皿等の特殊な機能を持たせるようにしたものを用意することによって、特別なふん囲気あるいは特殊な機能等を発揮させるようにしたテーブルを形成させることができるようになる。そして、このような天板ブロック１、１’の共通化、あるいは共用化を図ることによって、テーブル全体を比較的安価に形成させる（製造する）ことができるようになる。また、各天板ブロック１、１’の裏面側には、二本以上のクロスメンバ２１が嵌り込むように形成された凹溝１２、１２’が設けられるようになっているので、本天板ブロック１、１’の着脱が円滑に行われるようになり、テーブル表面の模様替え等を容易に行なうことができるようになる。また、一旦装着された天板ブロック１、１’は、天板用フレーム２上において安定した状態を保持することができるようになり、テーブル全体としての安定性を確保することができるようになる。
【００１９】
次に、本発明にかかる第二の実施形態について、図４及び図５を基に説明する。このものも、上記第一の実施形態のものと同様、基本的には、複数枚の天板ブロック１の集合体によって天板アセンブリ１１が形成されるようになっているものである。すなわち、本実施の形態にかかるものは、図４に示す如く、複数の天板ブロック１の集合体にて形成される天板アセンブリ１１と、当該天板アセンブリ１１を形成する各天板ブロック１の搭載されるものであって、これら各天板ブロック１を保持する天板プレート７と、当該天板プレート７を支持するものであって、当該天板プレート７を保持する枠部６１並びに当該枠部６１を支えるとともに当該枠部６１のところから直立状に設けられる複数本の脚部６３を有するフレーム６と、からなることを基本とするものである。
【００２０】
このような構成からなるものにおいて、上記天板ブロック１は、図５に示す如く、その平面形態が正方形を含む四辺形からなるものであって、基本的には同じ平面形態を有するものにて形成されるようになっているものである。このように同じ平面形態を有するものを用意することによって、上記第一の実施形態の場合と同様、部品の共用化あるいは共通化を図ることができるようになる。なお、本実施の形態のものにおいては、各天板ブロック１の天板プレート７への固定方法が上記第一の実施形態のものと異なっているものである。具体的には、図４及び図５に示す如く、天板ブロック１は、その平面形態が正方形を初めとした四辺形をなすように形成されるとともに、その裏面側には、四隅のところに、対称形をなすように係合凸部１７が設けられるようになっているものである。
【００２１】
一方、このような四辺形状の天板ブロック１の搭載される天板プレート７の表面側のところには、図４及び図５に示す如く、上記天板ブロック１の裏面側に形成された係合凸部１７と係合する凹陥状の受部７７が全面にわたって規則正しく設けられるようになっているものである。なお、この受部７７は、凹陥状の形態からなるものの外に、例えば図５に示す如く、天板プレート７を突き抜くように形成された穴または孔等からなるものであっても良い。このような受部７７のところに上記係合凸部１７が嵌り込むことによって、各天板ブロック１の天板プレート７上への固定が確実に行われるようになる。また、このような係合凸部１７と天板プレート７に形成された受部７７との係合作用によって、各天板ブロック１の天板プレート７上への搭載（装着）が円滑に行われるようになる。このようにして、天板ブロック１の天板プレート７上への着脱が円滑に行われるようになる。
【００２２】
このような構成からなるものにおいて、上記天板ブロック１は、上記第一の実施形態のものと同様、所定のプラスチック材による成形品、あるいは木屑または紙等を圧縮成形することによって形成される成形品からなるものである。また、このような構成からなる本天板ブロック１において、その一部のものに、例えば図４に示す如く、絵画１６等を嵌め込ませるようにしたもの、またはブロックパズル１５等を装着するようにしたもの、更には中央部にくぼみをもたせて灰皿機能を発揮させるようにしたもの等、特殊な機能等を発揮させるようにしたものをオプション部品として設定しておくことも可能である。このようなオプション機能を有する天板ブロック１を各種用意しておくことによって、用途に合せて天板アセンブリ１１を変化させ、延いては本テーブルの仕様を広く展開させることができるようになる。
【００２３】
次に、このような構成からなる天板ブロック１の搭載される天板プレート７について、図４及び図５を基に説明する。このものは、図４に示す如く、アルミニウム合金製の平板等からなるものであって、上記天板ブロック１の裏面側に設けられた係合凸部１７が嵌り込むように形成された受部７７が全面にわたって規則正しく設けられるようになっているものである。なお、この受部７７は、天板プレート７の表面側に形成された凹陥部からなるものであっても良いし、または図５に示すように、天板プレート７の裏面側まで突き抜けるように形成された通孔等からなるものであっても良い。このような受部７７内に上記係合凸部１７が嵌り込むことによって、天板ブロック１の天板プレート７への装着が行われるようになっているものである。
【００２４】
次に、このような構成からなる天板プレート７の載置されるフレーム６について、図４を基に説明する。このものは、図４に示す如く、上記天板プレート７を保持するものであって枠状の形態からなる枠部６１と、当該枠部６１から直立状に、かつ、一体的に設けられるものであって支柱状の形態からなる複数本の脚部６３と、からなるものである。このような枠部６１と脚部６３との一体化されたフレーム６の、その枠部６１のところに天板プレート７が載置（設置）されるようになっているものである。なお、このようなフレーム６を形成する脚部６３の下端部のところには、上記第一の実施形態のものと同様、滑り止め部材５１あるいはキャスタ５５等からなるフット部５を適宜取付けるようにしても良い。
【００２５】
このような構成を採ることにより、本実施の形態のものにおいても、上記第一の実施形態のものと同様、同じ平面形態を有するものであって表面模様等の異なった天板ブロック１を複数種類用意しておくとともに、これらを適宜組合わせることによって、異なった模様の天板アセンブリ１１を随時形成させることができるようになる。また、天板ブロック１のうちの一つについては、絵画等を嵌め込むようにしたもの、あるいは灰皿等の特殊な機能を持たせるようにしたものを用意することによって、特別なふん囲気あるいは特殊な機能等を発揮させるようにしたテーブルを形成させることができるようになる。そして、このような天板ブロック１の共通化、あるいは共用化を図ることによって、テーブル全体を比較的安価に形成させる（製造する）ことができるようになる。また、このような各天板ブロック１の裏面側には、係合凸部１７が設けられるとともに、このような係合凸部１７が天板プレート７に形成された受部７７のところに嵌り込むことによって、本天板ブロック１の着脱が円滑に行われるようになり、テーブル表面の模様替え等を簡単に行なうことができるようになる。また、一旦装着された天板ブロック１は、天板プレート７の上において安定した状態を保持することができるようになり、テーブル全体としての安定性を確保することができるようになる。
【図面の簡単な説明】
【００２６】
【図１】本発明の第一の実施形態にかかるものの全体構成を示す展開斜視図である。
【図２】第一の実施形態にかかるものの天板ブロックと当該天板ブロックを保持するためのクロスメンバとの係合関係を示す展開斜視図である。
【図３】第一の実施形態にかかるものの天板ブロックとクロスメンバとの係合関係を示すものであって、その変形例を示す展開斜視図である。
【図４】本発明の第二の実施形態にかかるものの全体構成を示す展開斜視図である。
【図５】第二の実施形態にかかるものの天板ブロックの保持構造を示す展開斜視図である。
【符号の説明】
【００２７】
１  天板ブロック
１’  天板ブロック
１１  天板アセンブリ
１２  凹溝
１２’  凹溝
１５  ブロックパズル
１６  絵画
１７  係合凸部
２  天板用フレーム
２１  クロスメンバ
２１１  両端部
２１２  ストッパ部
２２  サイドメンバ
３  脚
３’  脚
３１  上端部
３２  下端部
４  締結手段
５  フット部
５１  滑り止め部材
５５  キャスタ
６  フレーム
６１  枠部
６３  脚部
７  天板プレート
７７  受部
【図１】
2006141603.tif 000003
【図２】
2006141603.tif 000004
【図３】
2006141603.tif 000005
【図４】
2006141603.tif 000006
【図５】
2006141603.tif 000007